(57)【要約】      （修正有）【課題】柔軟性，吸水性を与え，不快な臭気のない柔軟剤組成物を提供する。【解決手段】（ａ）下記式（Ｉ）で示されるブロック型アルキレンオキシド誘導体を０．１〜３０質量％、および、（ｂ）下記式（ＩＩ）で示されるアミン化合物、または該アミン化合物の中和物、あるいは該アミン化合物の４級化物、を含有することを特徴とする。Ｙ−［Ｏ（ＥＯ）ａ−（ＡＯ）ｂ−（ＥＯ）ｃ−Ｒ１］ｋ      （Ｉ）（式中、Ｙは３〜６個の水酸基を有する多価アルコールの水酸基を除いた残基、ｋは前記多価アルコールの水酸基数、ＥＯはオキシエチレン基、ＡＯは炭素数３〜６のオキシアルキレン基で、０≦ａ×ｋ≦５０、１≦ｂ×ｋ≦１００、０≦ｃ×ｋ≦１００、ただし、１＜（ａ＋ｃ）×ｋである。）2009108452.tif 000007（式中、Ｒ２、Ｒ３、Ｒ４は、水素原子、炭素数１〜３６の炭化水素基、炭素数８〜３６の炭化水素鎖中にエステル基、アミド基、あるいはエーテル基を有する官能基である。）【選択図】なし【特許請求の範囲】
【請求項１】
（ａ）下記式（Ｉ）で示されるブロック型アルキレンオキシド誘導体を０．１〜３０質量％、および、
（ｂ）下記式（ＩＩ）で示されるアミン化合物、または該アミン化合物の中和物、あるいは該アミン化合物の４級化物、
を含有することを特徴とする柔軟剤組成物。
（化１）
Ｙ−［Ｏ（ＥＯ）ａ−（ＡＯ）ｂ−（ＥＯ）ｃ−Ｒ１］ｋ      （Ｉ）
（式中、Ｙは３〜６個の水酸基を有する多価アルコールの水酸基を除いた残基、ｋは前記多価アルコールの水酸基数、ＥＯはオキシエチレン基、ＡＯは炭素数３〜６のオキシアルキレン基でそれぞれブロック状に付加されている。ａ×ｋおよびｃ×ｋはそれぞれオキシエチレン基の平均付加モル数の合計、ｂ×ｋは炭素数３〜６のオキシアルキレン基の平均付加モル数の合計を示し、０≦ａ×ｋ≦５０、１≦ｂ×ｋ≦１００、０≦ｃ×ｋ≦１００、ただし、１＜（ａ＋ｃ）×ｋである。オキシエチレン基と炭素数３〜６のオキシアルキレン基の合計に対するオキシエチレン基の割合は、１０〜８０質量％である。Ｒ１は炭素数１〜４の炭化水素基である。）
【化２】
2009108452.tif 000006
（式中、Ｒ２、Ｒ３、Ｒ４は、水素原子、炭素数１〜３６の炭化水素基、炭素数８〜３６の炭化水素鎖中にエステル基、アミド基、あるいはエーテル基を有する官能基であり、かつ、Ｒ２、Ｒ３、Ｒ４の少なくとも１つは、炭素数８〜３６の炭化水素基もしくは炭素数８〜３６の炭化水素鎖中にエステル基、アミド基、あるいはエーテル基を有する官能基である。）
【請求項２】
前記式（Ｉ）で示されるブロック型アルキレンオキシド誘導体において、ＡＯがオキシブチレン基であることを特徴とする請求項１に記載の柔軟剤組成物。
【請求項３】
前記式（Ｉ）で示されるブロック型アルキレンオキシド誘導体において、ａが０であることを特徴とする請求項１または２に記載の柔軟剤組成物。
【発明の詳細な説明】
【技術分野】
【０００１】
本発明は柔軟剤組成物、特にその機能の改善に関する。
【背景技術】
【０００２】
柔軟剤は、洗濯後の衣類に柔軟性および吸水性を与える目的で日常的に使用されているが、衣類に直接作用するために、不快な臭いがしないことが望まれる。
柔軟性基剤としては、ジアルキルジメチル４級アンモニウム塩など、陽イオン性物質であることが一般的であり、これら柔軟性基剤は、水に難溶性であるために、柔軟剤組成物としての配合安定性に劣るといった問題点があった。
また、アトピー性皮膚炎等のアレルギー症状を持つ人にとっては、柔軟性基剤が付着した衣類を着用すると、肌荒れの原因となる可能性があるため、刺激性の低い組成物の開発も望まれている。
配合安定性を解決するための可溶化剤としては、電荷を安定に保つことができる非イオン性界面活性剤、特にアルキレンオキシド誘導体が汎用されており、これまでに様々な提案がなされている。
例えば、グリセリン、ソルビタン、ペンタエリスリトールなどの多価アルコールの脂肪酸エステルもしくは、多価アルコールアルキレンオキシド誘導体といった非イオン性界面活性剤の提案がなされている（例えば、特許文献１〜４）。また、炭素数３以上のオキシアルキレン基を有する直鎖型非イオン性界面活性剤として、脂肪族アルコールにエチレンオキシドおよびプロピレンオキシドをランダム付加重合させた後、エチレンオキシドを付加重合させた化合物を配合する提案もなされている（例えば特許文献５）。
しかし、一般的に酸性製剤である柔軟剤組成物において、多価アルコールの脂肪酸エステル誘導体では、エステルの加水分解が生じる可能性があり、脂肪酸由来の臭気の発生やエステル分解物による外観の悪化につながってしまう。また、多価アルコールのアルキレンオキシド誘導体および直鎖型非イオン性界面活性剤では、残存する柔軟剤基剤による肌荒れを改善する効果が十分ではなかった。
肌荒れの改善する方法としては、直鎖型ポリアルキレンオキシドジアルキルエーテル誘導体の提案もなされているが（例えば特許文献６）、直鎖型ジアルキルエーテル化物では、外観の経時安定性が十分ではなかった。
つまり、柔軟性および吸水性を向上させ、臭気および外観の経時安定性が良好で、なおかつ残存柔軟剤成分によっておこる肌荒れを改善するような柔軟剤組成物の開発は、これまでになされていなかった。
【特許文献１】特開平７−３６４５号公報
【特許文献２】特開平６−１１６８６４号公報
【特許文献３】特開２００４−２３２１６３号公報
【特許文献４】特開平１−２１３４７９号公報
【特許文献５】特開２００２−３８３７２号公報
【特許文献６】特開２００４−２９３０００号公報
【発明の開示】
【発明が解決しようとする課題】
【０００３】
本発明は上記問題点に鑑み行なわれたものであり、その目的は、柔軟性および吸水性が高く、臭気および外観の経時安定性が良好で、且つ残存柔軟剤成分によって起こる肌荒れを低減することのできる柔軟剤組成物を提供することにある。
【課題を解決するための手段】
【０００４】
前記課題を解決するため、本発明者らが鋭意検討を行なった結果、特定構造を有するブロック型アルキレンオキシド誘導体を、特定構造のアミン化合物、または該アミン化合物の中和物、あるいは該アミン化合物と共に配合することにより、柔軟性、吸水性、臭気および外観の経時安定性に優れ、皮膚刺激性の低い柔軟剤組成物が得られることを見出し、本発明を完成するに至った。
【０００５】
すなわち、本発明にかかる柔軟剤組成物は、（ａ）下記式（Ｉ）で示されるブロック型アルキレンオキシド誘導体を０．１〜３０質量％、および、（ｂ）下記式（ＩＩ）で示されるアミン化合物、または該アミン化合物の中和物、あるいは該アミン化合物の４級化物、
を含有することを特徴とする。
（化１）
Ｙ−［Ｏ（ＥＯ）ａ−（ＡＯ）ｂ−（ＥＯ）ｃ−Ｒ１］ｋ      （Ｉ）
（式中、Ｙは３〜６個の水酸基を有する多価アルコールの水酸基を除いた残基、ｋは前記多価アルコールの水酸基数、ＥＯはオキシエチレン基、ＡＯは炭素数３〜６のオキシアルキレン基でそれぞれブロック状に付加されている。ａ×ｋおよびｃ×ｋはそれぞれオキシエチレン基の平均付加モル数の合計、ｂ×ｋは炭素数３〜６のオキシアルキレン基の平均付加モル数の合計を示し、０≦ａ×ｋ≦５０、１≦ｂ×ｋ≦１００、０≦ｃ×ｋ≦１００、ただし、１＜（ａ＋ｃ）×ｋである。オキシエチレン基と炭素数３〜６のオキシアルキレン基の合計に対するオキシエチレン基の割合は、１０〜８０質量％である。Ｒ１は炭素数１〜４の炭化水素基である。）
【化２】
2009108452.tif 000002
（式中、Ｒ２、Ｒ３、Ｒ４は、水素原子、炭素数１〜３６の炭化水素基、炭素数８〜３６の炭化水素鎖中にエステル基、アミド基、あるいはエーテル基を有する官能基であり、かつ、Ｒ２、Ｒ３、Ｒ４の少なくとも１つは、炭素数８〜３６の炭化水素基もしくは炭素数８〜３６の炭化水素鎖中にエステル基、アミド基、あるいはエーテル基を有する官能基である。）
【０００６】
また、前記柔軟剤組成物は、前記式（Ｉ）で示されるブロック型アルキレンオキシド誘導体において、ＡＯがオキシブチレン基であることが好適である。
さらに、前記柔軟剤組成物は、前記式（Ｉ）で示されるブロック型アルキレンオキシド誘導体において、ａが０であることが好適である。
【発明の効果】
【０００７】
本発明によれば、柔軟性および吸水性が著しく高く、臭気および外観の経時安定性が良好で、なおかつ残存柔軟剤成分によっておこる肌荒れが改善された、非常に有用な柔軟剤組成物を得ることができる。
【発明を実施するための最良の形態】
【０００８】
以下、本発明の好適な実施形態について説明する。
本発明にかかる柔軟剤組成物は、（ａ）特定構造を有するブロック型アルキレンオキシド誘導体、（ｂ）特定構造を有するアミン化合物、または該アミン化合物の中和物、あるいは該アミン化合物の４級化物、をそれぞれ特定量含むものである。以下、前記必須成分について順次詳述する。
【０００９】
（ａ）ブロック型アルキレンオキシド誘導体
本発明においては、下記式（Ｉ）で示されるブロック型アルキレンオキシド誘導体が適用し得る。
（化３）
Ｙ−［Ｏ（ＥＯ）ａ−（ＡＯ）ｂ−（ＥＯ）ｃ−Ｒ１］ｋ      （Ｉ）
【００１０】
前記式（Ｉ）で示されるブロック型アルキレンオキシド誘導体において、Ｙは３〜６個の水酸基を有する多価アルコールの水酸基を除いた残基であり、ｋは前記多価アルコールの水酸基数であり３〜６である。
３〜６個の水酸基を有する多価アルコールとしては、例えばｋ＝３であるグリセリン、トリメチロールプロパン、ｋ＝４であるエリスリトール、ペンタエリスリトール、ｋ＝５であるキシリトール、ｋ＝６であるソルビトール、イノシトールが挙げられる。
すなわち、本発明にかかる柔軟剤組成物に配合されるブロック型アルキレンオキシド誘導体は、前記の３〜６個の水酸基を有する多価アルコールの１種または２種以上の混合物の水酸基を除いた残基を基本骨格とする。
【００１１】
本発明において、特に、Ｙが３〜４個の水酸基を有する多価アルコールの水酸基を除いた残基であることが好ましく、すなわち、３≦ｋ≦４を満たすことが好適である。このような多価アルコールとして、具体的にはグリセリン、ペンタエリスリトールが挙げられる。ｋが２以下であると、柔軟剤組成物に配合した場合に、外観の経時安定性が不十分であり、また、ｋが７以上であると、求める柔軟効果が得られず好ましくない。
【００１２】
ＥＯは、オキシエチレン基である。ＡＯは炭素数３〜６のオキシアルキレン基であり、具体的には、オキシプロピレン基、オキシブチレン基、オキシイソブチレン基、オキシｔ−ブチレン基、オキシテトラメチレン基、オキシペンチレン基、オキシヘキシレン基、などが挙げられる。好ましくは、オキシプロピレン基、オキシブチレン基であり、さらに好ましくはオキシブチレン基である。また、ＡＯは１種または２種以上を用いることができる。
【００１３】
ｂ×ｋはＡＯの平均付加モル数の総数であり、１≦ｂ×ｋ≦１００、好ましくは３≦ｂ×ｋ≦７０、より好ましくは５≦ｂ×ｋ≦５０である。ａ×ｋおよびｃ×ｋはＥＯの平均付加モル数であり、０≦ａ×ｋ≦５０、０≦ｃ×ｋ≦１００である。ａ×ｋとして、好ましくは０≦ａ×ｋ≦３０、より好ましくは０≦ａ×ｋ≦２０である。また、ｃ×ｋとして、好ましくは５≦ｃ×ｋ≦７０、より好ましくは５≦ｃ×ｋ≦５０である。また、前記式（Ｉ）中の全オキシエチレン基の平均付加モル数（ａ＋ｃ）×ｋは１より大きく、好ましくは１＜（ａ＋ｃ）×ｋ≦２００であり、更に好ましくは１０≦（ａ＋ｃ）×ｋ≦１４０である。ＡＯは本発明にかかるブロック型アルキレンオキシド誘導体において疎水性部位となり、ｂ×ｋが０であると、外観の経時安定性に劣り、１００を超えると、肌荒れの改善に劣る傾向にある。また、（ａ＋ｃ）×ｋが０であると、吸水性に劣るばかりか、外観の経時安定性に劣る場合があり好ましくない。
【００１４】
前記式（Ｉ）中のＡＯとＥＯの合計に対する前記式（Ｉ）中の全ＥＯの割合は１０〜８０質量％であり、さらに好ましくは２０〜７０質量％である。前記割合が１０質量％より小さいと、吸水性に劣る傾向にあり、８０質量％より大きいと、外観の経時安定性を損なう場合があり好ましくない。
また、ＡＯとＥＯの付加形態はブロック状であり、付加順序は式中のＹに対して、（ＡＯ）−（ＥＯ）の順、（ＥＯ）−（ＡＯ）の順、（ＥＯ）−（ＡＯ）−（ＥＯ）の順のいずれであってもよい。ここで、（ＡＯ）−（ＥＯ）はａ＝０、（ＥＯ）−（ＡＯ）はｃ＝０に相当する。本発明においては、式中のＹに対して（ＡＯ）−（ＥＯ）の順、つまりａ＝０であることが特に好ましい。
【００１５】
前記式（Ｉ）において、Ｒ１は炭素数１〜４の炭化水素基であり、これは衣類に付着した柔軟成分による肌荒れを改善するために必須である。このような炭化水素基としては、例えばメチル基、エチル基、ｎ−プロピル基、イソプロピル基、ｎ−ブチル基、ｓｅｃ−ブチル基、ｔｅｒｔ−ブチル基などが挙げられ、本発明においては特にメチル基、エチル基であることが好ましい。炭素数が５より大きいと、柔軟性および吸水性に劣ることがあり好ましくない。また、Ｒ１が水素原子であると、肌荒れの改善が不十分である可能性があり好ましくない。
また、本発明にかかる柔軟剤組成物に配合されるブロック型アルキレンオキシド誘導体において、Ｒ１は１分子中、同一であっても異なっていてもよく、１分子中において同一のＲ１を有するブロック型アルキレンオキシド誘導体１種、または異なるＲ１を有する２種以上の混合物であってもよい。
【００１６】
本発明にかかる柔軟剤組成物に配合されるアルキレンオキシド誘導体としては、具体的にはＰＯＢ（３０）ＰＯＥ（３０）グリセリルトリメチルエーテル、ＰＯＢ（３０）ＰＯＥ（３５）グリセリルトリメチルエーテル、ＰＯＢ（１７）ＰＯＥ（２８）グリセリルトリメチルエーテル、ＰＯＢ（２７）ＰＯＥ（４５）グリセリルトリメチルエーテル、ＰＯＢ（１４）ＰＯＥ（３４）グリセリルトリメチルエーテル、ＰＯＢ（２２）ＰＯＥ（５５）グリセリルトリメチルエーテル、ＰＯＢ（１９）ＰＯＥ（５５）グリセリルトリメチルエーテル、ＰＯＢ（４０）ＰＯＥ（８０）グリセリルトリメチルエーテル、ＰＯＢ（８０）ＰＯＥ（４０）グリセリルトリメチルエーテル、ＰＯＢ（３０）ＰＯＥ（３０）グリセリルトリエチルエーテル、ＰＯＢ（３０）ＰＯＥ（３５）グリセリルトリエチルエーテル、ＰＯＢ（１４）ＰＯＥ（３４）グリセリルトリエチルエーテル、ＰＯＢ（３０）ＰＯＥ（３０）グリセリルトリプロピルエーテル、ＰＯＥ（３０）ＰＯＰ（３０）グリセリルトリメチルエーテル、ＰＯＥ（３５）ＰＯＰ（４０）グリセリルトリメチルエーテル、ＰＯＥ（４１）ＰＯＰ（４８）グリセリルトリメチルエーテル等が挙げられる。
なお、上記ＰＯＥ、ＰＯＰ、ＰＯＢは、それぞれポリオキシエチレン、ポリオキシプロピレン、ポリオキシブチレンの略であり、以下、このように略して記載することがある。
【００１７】
本発明にかかる柔軟剤組成物に配合されるブロック型アルキレンオキシド誘導体は、公知の方法で製造することができる。例えば、水酸基を有している化合物に、エチレンオキシドおよび炭素数３〜６のアルキレンオキシドを付加重合した後、ハロゲン化アルキルをアルカリ触媒の存在下にエーテル反応させることによって得られる。
【００１８】
以上のようにして得られるブロック型アルキレンオキシド誘導体の配合量としては、本発明にかかる柔軟剤組成物全量に対して０．１〜３０質量％であることが好ましく、より好ましくは１．０〜１０質量％である。前記配合量が０．１質量％に満たないと、配合による効果の発現が十分でないことがあり、配合量が３０質量％を超えると、安定配合できない場合があり好ましくない。
【００１９】
（ｂ）アミン化合物
本発明にかかる柔軟剤組成物は、衣類等に柔軟性を付与するための必須成分として、下記式（II）で示されるアミン化合物を含有する。
【化４】
2009108452.tif 000003
【００２０】
上記式（ＩＩ）において、Ｒ２、Ｒ３、Ｒ４は、水素原子、炭素数１〜３６の炭化水素基、炭素数８〜３６の炭化水素鎖中にエステル基、アミド基、あるいはエーテル基を有する官能基のいずれかであり、かつ、Ｒ２、Ｒ３、Ｒ４の少なくとも１つは、炭素数８〜３６の炭化水素基もしくは炭素数８〜３６の炭化水素鎖中にエステル基、アミド基、あるいはエーテル基を有する官能基である。
本発明で用いられるアミン化合物は、該アミン化合物、又は該アミン化合物の中和物あるいは該アミン化合物の４級化物であり、さらに、これらの混合物であってもよい。
【００２１】
本発明において、上記式（ＩＩ）で示されるアミン化合物が炭素数１〜３６の炭化水素基を有するとき、炭化水素基としては、例えばメチル基、エチル基、プロピル基、イソプロピル基、ブチル基、イソブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、オクタデシル基、ノナデシル基、ドコシル基などの直鎖もしくは分岐の飽和炭化水素基、オレイル基、リノール基などの不飽和炭化水素基、ヤシ油アルキル基、牛脂アルキル基などの混合炭化水素基が挙げられるが、これらの混合物であってもよく、好ましくは８〜２４の炭化水素基である。炭素数が３６より大きいと求める柔軟効果が得られないことがあり好ましくない。また、炭素数８〜３６の炭化水素鎖中にエステル基、アミド基、あるいはエーテル基を有する官能基であってもよい。この場合、炭素数が８より小さいもしくは炭素数が３６より大きいと求める柔軟効果が得られないことがあり好ましくない。
上記式（ＩＩ）において、Ｒ２、Ｒ３、Ｒ４が、水素原子もしくは炭素数１〜７の炭化水素基から選ばれる場合、求める柔軟効果が得られないことがあり好ましくない。
【００２２】
本発明のアミン化合物の中和は、通常の酸を用いて行うことができる。酸としては、具体的には、塩酸、硫酸、リン酸等の無機酸、安息香酸、クエン酸、リンゴ酸、コハク酸、アクリル酸等の有機酸を挙げることができる。また、上記アミン化合物の４級化物は、過アルキル化法により長鎖アルキル基を有する３級アミンに更にアルキル基を結合することにより得ることができる。過アルキル化剤としては、例えばジメチル硫酸又は塩化ベンジルを使用することができる。また、これらの過アルキル化剤の代わりに、沃化メチル、塩化メチル、塩化エチル、臭化ブチル等の低級ハロゲン化アルキル、ジエチル硫酸又はエピクロロヒドリン等を使用してもよい。
【００２３】
本発明のアミン化合物には、脂肪酸とアルカノールアミンからなるエステルを４級化して得られるエステル型４級アンモニウム塩も該当する。エステル型４級アンモニウム塩は、それを構成する脂肪酸は炭素数１２〜２４の脂肪酸で、例えば、ラウリン酸、ミリスチン酸、パルミチン酸、ステアリン酸、アラキドン酸、ベヘニン酸などの飽和脂肪酸、パルミトオレイン酸、オレイン酸、エライジン酸などのモノ不飽和脂肪酸、リノール酸、リノレン酸などの多価不飽和脂肪酸等が挙げられ、これらは通常、牛脂、豚脂、パーム油、大豆油、ヒマワリ油、オリーブ油等の天然油脂を分解・精製、あるいは硬化して得られる。これらの中でも特に大豆油、ヒマワリ油、オリーブ油を原料油脂として、分解・部分水添などを組合わせて得られる脂肪酸を用いることが工業的に好ましい。脂肪酸の炭素数１１以下では衣類に対して十分な柔軟性が与えられず、炭素数２５以上では吸水性が低下する。
【００２４】
本発明における上記アミン化合物の配合量としては、柔軟剤組成物全量に対し５〜４０質量％であり、好ましくは１０〜３０質量％である。前記配合量が５質量％に満たないと、衣類に対して十分な柔軟性を与えることができないことがある。また、前記配合量が４０質量％を超えると、衣類の吸水性を低下させるばかりか、水への分散が不良になる可能性があり好ましくない。また、本発明の柔軟剤組成物のｐＨは、精製水で５％希釈時に２．７〜４．５であることが望ましい。
【００２５】
本発明の柔軟剤組成物には、上記した必須成分（ａ）及び（ｂ）の他、本発明の効果を阻害しない範囲で、他の界面活性剤、塩化カルシウム、食塩、塩化アンモニウム等の粘度調整剤、クエン酸、塩酸、水酸化ナトリウム等のｐＨ調整剤、エチレングリコール、プロピレングリコール、エチルアルコール等の溶剤、高重合メチルポリシロキサン、ジメチルシロキサン、メチル（ポリオキシエチレン）シロキサン重合体等のシリコン誘導体、酸化防止剤、香料、色剤防腐剤などを配合することができる。
他の界面活性剤としては、ポリオキシエチレンソルビタン脂肪酸エステル、ポリオキシエチレン硬化ヒマシ油、ポリオキシエチレングリセリン脂肪酸エステル、ポリエチレングリコール脂肪酸エステル、ポリオキシエチレンアルキルエーテル、ポリオキシエチレンアルキルフェニルエーテル、ポリオキシエチレンポリオキシプロピレンアルキルエーテル、ポリオキシエチレンポリオキシプロピレングリコール、ソルビタン脂肪酸エステル、グリセリン脂肪酸エステル、ポリオキシエチレンアルキルアミン、ポリオキシエチレンアルカノールアミドなどが例示できる。
【００２６】
以下に実施例をあげて本発明をさらに具体的に説明するが、本発明はこれにより限定されるものではない。なお、配合量については特に断りのない限り、質量％で示す。
【実施例】
【００２７】
下記表２に示す成分および配合量で、柔軟剤組成物（実施例１〜５、比較例１〜８）を次のように調製し、その特性を評価した。
＜調製方法＞
水を７０℃程度まで加熱する。この温水に下記（ａ）成分、（ｂ）成分、界面活性剤、塩化カルシウムを配合する。その後、冷却を行い４０〜５０℃にてエチレングリコールを配合して柔軟剤組成物を得た。
【００２８】
表２における（ａ）成分、（ｂ）成分については、下記のものを用いた。
＜ａ成分＞
（ａ）成分として、下記表１に示す構造の化合物ａ−１〜ａ−１３をそれぞれ用いた。ａ−１〜ａ−１０のＹ、ａ×ｋ、ｂ×ｋ、ｃ×ｋ、ＡＯ、ＥＯ、Ｒ１は、下記式（Ｉ）における基および数値を表す。なお、表１のＹは各物質から水酸基を除いた残基を示し、ＥＯｗｔ％はＡＯ及びＥＯの合計に対するＥＯの割合を示す。また、ＡＯはオキシアルキレン基、ＥＯはオキシエチレン基、ＰＯはオキシプロピレン基、ＢＯはオキシブチレン基を表す。
（化５）
Ｙ−［Ｏ（ＥＯ）ａ−（ＡＯ）ｂ−（ＥＯ）ｃ−Ｒ１］ｋ      （Ｉ）
【００２９】
（表１）
2009108452.tif 000004
【００３０】
＜ｂ成分＞
以下に示す２種類の第４級アンモニウム塩を用いた。
＜ｂ−１成分＞
ジドデシルジメチルアンモニウムクロリド
＜ｂ−２成分＞
ジオクタデシルジメチルアンモニウムクロリド
【００３１】
表２中の柔軟剤処理試験および評価は、以下の方法により行った。評価結果も表２に併せて示す。
＜柔軟剤処理試験方法＞
市販の木綿タオルおよび木綿メリヤス肌着を、市販の洗剤（トップ；ライオン株式会社製）にて５回繰り返し洗濯することによって、製品に付着している柔軟剤を除去した後、容量７リットルの小型洗濯機に柔軟剤組成物の２．２％水溶液を調製し、２５℃、浴比１／３０で３分間撹拌処理を行った。
＜評価方法＞
上記の方法で処理したタオルを室温下で自然乾燥後、２５℃、６５％RHの恒温恒湿室に２４時間放置した。このタオルについて、柔軟性および吸水性を以下の基準にて評価した。
【００３２】
（１）柔軟性
２０名の女性をパネラーとし、柔軟処理後の木綿タオル３枚を重ねたものを１サンプルとし、柔軟性について、以下の基準にて官能評価を行い、平均値が３．０以上を合格とした。
４点：柔軟性が十分認められると感じた。
３点：柔軟性がやや認められると感じた。
２点：柔軟性がほとんど認められないと感じた。
１点：柔軟性が全く認められないと感じた。
【００３３】
（２）吸水性  
柔軟処理後の木綿メリヤス肌着を２．５×１５ｃｍぼ短冊状に切り取り、その一端１ｃｍを１０分間水に浸し、水位の上昇を測定した。上昇水位が７．５ｃｍ以上を吸水性に優れていると評価した。
【００３４】
（３）臭気の経時安定性
得られた柔軟剤組成物の５０℃の恒温槽にて、１ヶ月間放置したときの臭気および外観の経時安定性について、以下の基準にて評価した。
男女１０名のパネラーに対して、以下の基準にて官能評価を行い、平均値が２．５以上を合格とした。
３：調製時と変らず、劣化臭を感じない。
２：わずかに劣化臭を感じる。
１：やや強い劣化臭を感じる。
【００３５】
（４）外観の経時安定性
外観を目視して、以下の基準にて評価し、○以上を合格とした。
○：調製時と変らない。
×：わずかに油滴を生じている。
××：油層が上部に分離している。
【００３６】
（５）皮膚刺激性
さらに、柔軟剤組成物の１．０質量％水溶液を調製し、パッチテスト用絆創膏のガーゼ部分に滴下し、これを被験者２０名以上の上腕部に貼り付け、４８時間後の皮膚の状態を確認した。判定は以下の評価基準で行い、評価点を２０人の平均で表した。０．５以下を低刺激性であると判断した。
０：反応なし
１：わずかに紅斑
２：軽い紅斑
【００３７】
（表２）
2009108452.tif 000005
【００３８】
上記表２より明らかなように、本発明の柔軟剤組成物を用いた実施例１〜５は、柔軟性、吸水性、臭気の経時安定性、外観の経時安定性、および皮膚刺激性の全ての評価において優れた結果を示した。
一方、ＥＯを含有しない化合物ａ−６を配合した比較例１は、吸水性および外観の経時安定性に劣っていた。末端が水酸基である化合物ａ−７を配合した比較例２はは、皮膚刺激性に劣るものであった。末端にヘキシル基を有する化合物ａ−７を配合した比較例３では、柔軟性、吸水性、および臭気の経時安定性が不十分であった。また、ＡＯを含有しない化合物ａ−９を配合した比較例４では、外観の経時安定性に劣り、トレハロース骨格を有する化合物ａ−１０を配合した比較例５では、柔軟性が劣っていた。直鎖型エチレンオキシドプロピレンオキシドランダム共重合体のジメチルエーテルを配合した比較例６においては、外観の経時安定性に劣り、グリセリンのモノおよびジ脂肪酸エステルのＥＯ付加物ａ−１２を配合した比較例７では、臭気および外観の経時安定性、皮膚刺激性が劣っていた。直鎖型非イオン性界面活性剤である化合物ａ−１３を配合した比較例８は、吸水性および皮膚刺激性に劣るものであった。
このように、実施例１〜５の柔軟剤組成物は、比較例１〜８に比べ、柔軟性、吸水性、臭気および外観の経時安定性および皮膚刺激性の全てを満足するものであることが明らかである。
したがって、（ａ）特定構造のブロック型アルキレンオキシド誘導体、および（ｂ）特定構造のアミン化合物を適量配合することにより、柔軟性および吸水性に優れ、臭気および外観の経時安定性が高く、且つ皮膚刺激性の低い柔軟剤組成物を得ることができる。